(57)【要約】【課題】縦長形状や大型のドリッパーに対してもほぼ一定の大きさの横断面を有する筒状体に確実に保形することができると共に袋体の開口部を注湯が容易に行える程度の大きさに維持することができるドリッパーを提供することである。【解決手段】両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の前記両折曲部の対向する位置に前記折曲部を内側に折込むことで前記折曲部と平行方向において互いに離れるように拡開する拡開折込部をそれぞれ２箇所形成したことを特徴とするドリッパー。【選択図】        図１
2004181020.tif 000002
【特許請求の範囲】
【請求項１】
両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の前記両折曲部の対向する位置に前記折曲部を内側に折込むことで前記折曲部と平行方向において互いに離れるように拡開する拡開折込部をそれぞれ２箇所形成したことを特徴とするドリッパー。
【請求項２】
前記両折曲部にそれぞれ設けた前記２箇所の拡開折込部が略中央に形成された切線を介して隣接していることを特徴とする請求項１記載のドリッパー。
【請求項３】
前記切線が前記筒状紙体の前記折曲部を頂点とする前記筒状紙体の前記一方の開口縁側に凸状となる円弧状に形成されていることを特徴とする請求項２記載のドリッパー。
【請求項４】
前記筒状紙体の他方の開口縁に係合突片が形成されていることを特徴とする請求項１〜３のいずれかに記載のドリッパー。
【請求項５】
請求項１〜４のいずれかに記載のドリッパーにおいて、前記袋体の開口部を内容物収納後に超音波溶着により剥離可能に閉じたことを特徴とするドリッパー。
【発明の詳細な説明】
【０００１】
【発明の属する技術分野】
本発明は、レギュラーコーヒー粉、紅茶や緑茶の葉等の被抽出成分を有する内容物を漉すときに使用する使い捨てタイプのドリッパーおよびレギュラーコーヒー粉、紅茶や緑茶の葉等の被抽出成分を有する内容物を一体的に収納した使い捨てタイプのドリッパーに関する。
【０００２】
【従来の技術】
従来から、レギュラーコーヒー粉、紅茶や緑茶の葉等の被抽出成分を有する内容物を濾過して所望の飲料を得るためのドリッパーが知られている（たとえば、特許文献１参照）。
【０００３】
特許文献１記載のドリッパーは、その帯方向に偏平な環状帯紙に濾過機能を有する袋体を挿入し、該袋体の開口縁の一部中程対向部のみを環状帯紙の帯方向中程に貼着したものであって、環状帯紙の両折曲側縁中程に設けた拡開片を内側に折返すことにより筒状体に保形され、これにより袋体の開口部が一定の大きさの開口に維持されるように構成されている（特許文献１の第２図参照）。
【０００４】
この特許文献１記載のドリッパーは、環状帯紙の両折曲側縁中程に設けた拡開片を環状帯紙の内側に折返すだけで折畳まれた環状帯紙が筒状体に保形され、これにより袋体の開口部が開口した状態に維持されるというドリッパーの保形手段としては極めて優れた効果を奏するものであるが、縦長形状やレギュラーコーヒー粉等の被抽出成分を有する内容物の増量、たとえば、２〜３人分用の内容物を収納した大型のドリッパーに対して、注湯を容易ならしめる程度の大きさの袋体の開口が得られない虞がある。
【０００５】
【特許文献１】
実公平５−１３３２４号公報
【０００６】
【発明が解決しようとする課題】
そこで本発明は、上記問題に鑑みてなされたものであり、その目的とするところは、縦長形状や大型のドリッパーに対してもほぼ一定の大きさの横断面を有する筒状体に確実に保形することができると共に袋体の開口部を注湯が容易に行える程度の大きさに維持することができるドリッパーを提供することである。
【０００７】
【課題を解決するための手段】
本発明者は、上記課題を達成するために、請求項１記載の本発明は、両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の前記両折曲部の対向する位置に前記折曲部を内側に折込むことで前記折曲部と平行方向において互いに離れるように拡開する拡開折込部をそれぞれ２箇所形成したことを特徴とするものである。このように構成することにより、両折曲部にそれぞれ設けた２箇所の拡開折込部をそれぞれ折込むことにより、２箇所の拡開折込部が拡開された状態で保持されるために筒状紙体をほぼ一定の大きさの凸レンズ状横断面を有する筒状体に確実に保形することができ、注湯を容易ならしめる袋体のより確実な開口が保証されたドリッパーとすることができる。
【０００８】
また、請求項２記載の本発明は、請求項１記載のドリッパーにおいて、前記両折曲部にそれぞれ設けた前記２箇所の拡開折込部が略中央に形成された切線を介して隣接していることを特徴とするものである。
【０００９】
また、請求項３記載の本発明は、請求項２記載のドリッパーにおいて、前記切線が前記筒状紙体の前記折曲部を頂点とする前記筒状紙体の前記一方の開口縁側に凸状となる円弧状に形成されていることを特徴とするものである。
【００１０】
上記請求項２、３のいずれかに記載の構成とすることにより、ワンアクションで２箇所の拡開折込部を内側に折込むことができる。
【００１１】
また、請求項４記載の本発明は、請求項１〜３のいずれかに記載のドリッパーにおいて、前記筒状紙体の他方の開口縁に係合突片が形成されていることを特徴とするものである。このように構成することにより、ドリッパーをカップ壁面に安定して載置固定することができる。
【００１２】
また、請求項５記載の本発明は、請求項１〜４のいずれかに記載のドリッパーにおいて、前記袋体の開口部を内容物収納後に超音波溶着により剥離可能に閉じたことを特徴とするドリッパー。このように構成することにより、筒状紙体の外側から筒状紙体を介して袋体の開口部を容易に剥離可能に閉じることができる。
【００１３】
【発明の実施の形態】
上記の本発明について、図面等を用いて以下に詳しく説明する。
図１は本発明にかかるドリッパーの一実施例を示す要部透視正面図、図２は図１に示すドリッパーに用いる筒状紙体の展開図、図３は本発明にかかるドリッパーの他の実施例を示す要部透視正面図、図４は図３に示すドリッパーの使用方法を説明する図であり、図中の１，１’はドリッパー、２は筒状紙体、２’はブランク板、３は袋体、２０，２０’は突出フラップ、２１は係合突片、２２は切欠、２４，２５，２４２，２４２’，２４３，２４３’，２５２，２５２’，２５３，２５３’は折罫、３０，３０’は対向貼着部、３１は剥離可能接着部、３２は強固な接着部、３３は折部、２００は前面板、２１０は背面主板、２２０は背面補助板、２４１，２５１は略Ｈ字形状切線、２４１ａ，２４１ａ’，２５１ａ，２５１ａ’は短い切線、２４１ｂ，２５１ｂは連結切線、２４４，２４５，２５４，２５５は円形状切欠部、Ａ，Ａ’，Ｂ，Ｂ’は拡開折込部、α，βは折曲部をそれぞれ示す。
【００１４】
図１は本発明にかかるドリッパーの一実施例を示す要部透視正面図であって、ドリッパー１は両側縁に折曲部α、βを備えると共に前記両側縁に対して上端縁中央部（図１上の）となる位置に対向する一対の突出フラップ２０、２０’（図示せず）を備えた平面視略矩形状の筒状紙体２に、濾過機能を有する略逆台形状の袋体３を挿入して前記袋体３の開口縁の略中央部を一部延設した一対の対向貼着部３０、３０’（図示せず）を前記一対の突出フラップ２０、２０’（図示せず）の上縁で外方へ折返して前記一対の突出フラップ２０、２０’（図示せず）の外面に貼着したものであって、前記筒状紙体２の前記折曲部α、βの略中央部の対向する位置のそれぞれ２箇所に前記折曲部α、βを内側に折込むことにより互いに離れる方向に拡開して前記筒状紙体２を筒状体に保形する拡開折込部Ａ、Ａ’、Ｂ、Ｂ’が形成されると共に前記筒状紙体２の下端縁（図１上、下側）の両側縁と中央部とに係合突片２１が４箇所（図１上は３箇所）形成され、この係合突片２１により前記筒状紙体２の前記下端縁（図１上、下側）に必然的に切欠２２が４箇所（図１上は２箇所）形成されている。
【００１５】
また、図１に示すように、前記袋体３は、その両側端縁に容易に剥がれない強固な接着部３２を有すると共に前記袋体３の前記開口部と反対側の下端部（図１上の下側部）は折部３３となっている。なお、前記折部３３については、後ほどもう少し詳しく説明する。
【００１６】
次に、本発明のドリッパーを構成する筒状紙体２と濾過機能を有する袋体３について説明する。最初に筒状紙体２について説明する。図２は図１に示すドリッパーに用いる筒状紙体の展開図であって、ブランク板２’は背面補助板２２０、前面板２００、背面主板２１０が折罫２４、２５を介して順次連接され、前記前面板２００および前記背面主板２１０の前記折罫２４、２５と直交する一方の端縁（図２上の上端縁、以後上端縁と呼称する）の中央部および略中央部に両角がアール状に形成された略台形状の突出フラップ２０、２０’が設けられ、前記前面板２００および前記背面主板２１０の前記折罫２４、２５と直交する他方の端縁（図２上の下端縁、以後下端縁と呼称する）の前記突出フラップ２０、２０’と対向する位置および前記ブランク板２’を後述するように折りと貼り加工をして図１に示す筒状紙体２とした状態でその両側縁となる位置に係合突片２１が設けられ（この係合突片２１により必然的に切欠２２が形成され）、さらに前記折罫２４、２５のそれぞれの略中央部に前記折罫２４、２５に対して線対称となるように両端に短い切線２４１ａ、２４１ａ’および２５１ａ、２５１ａ’が形成され、この短い切線２４１ａ、２４１ａ’および２５１ａ、２５１ａ’間を繋ぐ前記上端縁側に凸状となる円弧を描く連結切線２４１ｂ、２５１ｂからなる略Ｈ字形状切線２４１，２５１が設けられ、さらに前記略Ｈ字形状切線２４１、２５１の両端に設けられた前記短い切線２４１ａ、２４１ａ’および２５１ａ、２５１ａ’の両端からそれぞれ前記上端縁および前記下端縁方向に延びて前記折罫２４、２５にそれぞれ交わる前記折罫２４、２５に対して線対称な折罫２４２、２４２’、２４３、２４３’および２５２、２５２’、２５３、２５３’が設けられると共に前記折罫２４と前記折罫２４２、２４２’との交点（図示せず）、前記折罫２４と前記折罫２４３、２４３’との交点（図示せず）および前記折罫２５と前記折罫２５２、２５２’の交点（図示せず）、前記折罫２５と前記折罫２５３、２５３’との交点（図示せず）をそれぞれ中心とする円形状切欠部２４４、２４５、２５４、２５５が設けられた構成からなるものである。なお、前記円形状切欠部２４４、２４５、２５４、２５５は各々３本の折罫が一点に集中することにより、前記拡開折込部Ａ、Ａ’、Ｂ、Ｂ’を内側へ折込む際に外側方向への反発力を小さくするために形成されるものである。このような構成からなる前記ブランク板２’は、周知の打抜機を用いて容易に製造することができる。
【００１７】
上記のように構成された前記ブランク板２’を、まず前記前面板２００上に前記背面主板２１０を前記折罫２５を山折して折り重ね、次いで折り重ねた前記背面主板２１０上に前記背面補助板２２０を前記折罫２４を山折りして折り重ね、前記背面主板２１０と前記背面補助板２２０との重ね部を接着剤等により接着することにより筒状紙体２を得ることができる。ところで、図２からも明らかなように前記筒状紙体２の前記拡開折込部Ａは前記略Ｈ字形状切線２４１と前記折罫２４２、２４２’と前記円形状切欠部２４４とこれらに囲まれた領域にある前記折罫２４で形成され、前記筒状紙体２の前記拡開折込部Ａ’は前記略Ｈ字形状切線２４１と前記折罫２４３、２４３’と前記円形状切欠部２４５とこれらに囲まれた領域にある前記折罫２４で形成され、前記筒状紙体２の前記拡開折込部Ｂは前記略Ｈ字形状切線２５１と前記折罫２５２、２５２’と前記円形状切欠部２５４とこれらに囲まれた領域にある前記折罫２５で形成され、前記筒状紙体２の前記拡開折込部Ｂ’は前記略Ｈ字形状切線２５１と前記折罫２５３、２５３’と前記円形状切欠部２５５とこれらに囲まれた領域にある前記折罫２５で形成されるように構成されている。なお、前記筒状紙体２を形成する材料としては、たとえば、２００〜３４０ｇ／ｍ２の耐水カード紙、アイボリー紙などの厚紙が適当である。
【００１８】
次に、本発明に用いる袋体について説明する。袋体３としては、濾過機能を有する素材であれば特に限定するものではないが、袋体とするときの加工性を考慮すると素材それ自体が熱接着性有するもの、あるいは、最内層が熱接着性を有するものが好ましく、たとえば、ポリエチレンやポリプロピレン等のポリオレフィン系、ポリエステル系等の透水性を有する不織布、あるいは、最内層にポリエチレンやポリプロピレン等のポリオレフィン系やポリエステル系等の熱可塑性樹脂を含有している層を有する２ないし３層構成からなる濾紙等を挙げることができる。
【００１９】
次に、前記袋体３の製造方法について説明する。前記袋体３は、熱接着性を有する長尺シート、たとえば、最内層に変性ポリプロピレンを含有している３層構成からなる濾紙を、長手方向と平行に２つ折りして折部３３（図１参照）を形成するなり、あるいは、前記折部３３（図１参照）をＷ折り（ガセット折り）するなりして重ね合わせ、所定形状に熱接着（図１上、符号３２で示す接着部）し、その後に裁断、および／ないし、型抜き（図１上、折部３３が幅狭となると共に前記折部３３の反対側の略中央部に一部延設した一対の対向貼着部３０、３０’を備えた略台形状に型抜き）することにより製造することができる。
【００２０】
そして、前記筒状紙体２と前記袋体３との組付けは、上記したように作製した前記筒状紙体２に上記したように作製した前記袋体３を挿入して前記袋体３に設けた前記一対の対向貼着部３０、３０’（図示せず）を前記筒状紙体２に設けた前記一対の突出フラップ２０、２０’（図１、２参照）の上縁で外方へ折返して前記一対の突出フラップ２０、２０’（図１、２参照）の外面に貼着することにより完了する。なお、図１においては、前記袋体３の前記一対の対向貼着部３０、３０’（図示せず）を前記一対の突出フラップ２０、２０’（図１、２参照）の上縁で外方へ折返して前記一対の突出フラップ２０、２０’（図１、２参照）の外面に貼着したものを示したが、図示はしないが前記袋体３の前記一対の対向貼着部３０、３０’（図示せず）の突出長さを短くして前記一対の突出フラップ２０、２０’（図１、２参照）の内面に貼着してもよいものである。いずれの場合においても、前記筒状紙体２に前記袋体３を貼着する個所は前記突出フラップ２０、２０’（図１、２参照）とすることが望ましく、これにより使用時に前記筒状紙体２を筒状に起立させた際に、前記袋体３の両側が持ち上がり、前記袋体３の大きく確実な開口が保証され、注湯やドリップに適したドリッパーとすることができる。
【００２１】
なお、、前記ブランク板２’から前記筒状紙体２とするために、前記背面主板２１０と前記背面補助板２２０との重ね部を接着する接着剤、あるいは、前記筒状紙体２と前記袋体３とを接着する接着剤は、ホットメルト型、溶剤型、水性型、反応型、感圧型等の接着剤から適宜選択して用いることができる。
【００２２】
次に、レギュラーコーヒー粉、紅茶や緑茶の葉等の被抽出成分を有する内容物を一体的に収納したドリッパーについて説明する。ドリッパー１’は、前記筒状紙体２に前記袋体３が組付けられたドリッパー１の前記袋体３内にレギュラーコーヒー粉等の被抽出成分を有する内容物（図示せず）を前記袋体３の開口部から充填し、前記袋体３の前記開口部を剥離可能接着部３１（図３参照）となるように熱接着することによりレギュラーコーヒー粉等の被抽出成分を有する内容物を一体的に収納したドリッパーとすることができる。なお、ドリッパー１’は前記袋体３に設けた剥離可能接着部３１（図３参照）以外は図１に示すドリッパー１に同じである。
【００２３】
次に、前記袋体３の前記開口部の剥離可能接着部３１の形成方法について説明する。前記剥離可能接着部３１は、超音波溶着装置（図示せず）を用いて形成するのが好ましい。この理由としては、本発明のドリッパー１’は、前記筒状紙体２に前記袋体３を組付け、その後に前記袋体３内にレギュラーコーヒー粉等の被抽出成分を有する内容物（図示せず）を前記袋体３の開口部から充填し、最後に前記袋体３の開口部を前記筒状紙体２の外面から前記筒状紙体２を介して剥離可能接着部３１となるように熱接着するものであり、通常用いられる熱板シール方法やインパルスシール方法等では前記筒状紙体２を形成している厚紙を通して前記袋体３の開口部の内面同士を剥離可能に接着することは非常に困難であり、熱接着しようとすると時間を要し、生産効率が落ちると共に前記筒状紙体２の内外面や前記袋体３の表面が焦げて褐変し、見栄えの悪いものとなるからである。
【００２４】
次に、本発明のドリッパー１’の使用方法について図３を用いて、使用方法を示す図４により説明する。まず、図３に示すドリッパー１’の前記袋体３の前記対向貼着部３０、３０’で被覆された前記突出フラップ２０、２０’を左右の手指で摘んで互いに乖離する方向に引張って前記袋体３の前記剥離可能接着部３１を剥離（開封）し、その後に前記折曲部α、βに設けた前記拡開折込部Ａ、Ａ’およびＢ、Ｂ’を左右の手指で内側に折込むことにより、前記拡開折込部Ａ、Ａ’およびＢ、Ｂ’を前記略Ｈ字形状切線２４１、２５１（図２参照）を境にして前記拡開折込部Ａ、Ａ’およびＢ、Ｂ’が前記折曲部α、βと平行方向において互いに離れるように拡開されて折込まれて前記筒状紙体２が横断面凸レンズ状のほぼ均一な大きさ横断面を有する筒状体に保形され、これにより確実に保証された前記袋体３の開口を得ることができる。その後に前記筒状紙体２の下縁に設けた係合突片２１および切欠２２でカップ壁面上にドリッパー１’を図４に示すように載置固定し、前記袋体３の開口から所定量の熱湯を注湯することによりカップ内に所望の飲料を得るものである。また、図１に示されるレギュラーコーヒー粉等の被抽出成分を有する内容物が充填されていないドリッパー、すなわち、本発明のドリッパー１の使用方法としては、ドリッパー１’の使用方法で説明した前記袋体３の前記剥離可能接着部３１を剥離（開封）する操作をすることなく上記したと同様に筒状体に保形する操作を行い、その後に、たとえば、別容器等に収納されているレギュラーコーヒー粉等の被抽出成分を有する内容物（図示せず）をスプーン等で前記袋体３の開口から前記袋体３内に入れて後に上記したと同様にカップ壁面上に載置固定する操作を行って後に、前記袋体３の開口から所定量の熱湯を注湯することによりカップ内に所望の飲料を得るものである。
【００２５】
なお、前記略Ｈ字形状切線２４１、２５１（図２参照）の前記連結切線２４１ｂ、２５１ｂを前記筒状紙体２の前記上端縁側に凸状となる円弧状に形成したが、前記連結切線２４１ｂ、２５１ｂは前記折罫２４、２５に直交する方向に一直線としてもよいし、また、図１、２においては、前記拡開折込部Ａ、Ａ’およびＢ、Ｂ’を前記略Ｈ字形状切線２４１、２５１を介して隣接するように構成したが、前記拡開折込部Ａ、Ａ’およびＢ、Ｂ’を間隔をあけた状態で構成してもよいものである。但し、前記拡開折込部Ａ、Ａ’およびＢ、Ｂ’を前記略Ｈ字形状切線２４１、２５１（図２参照）を介して隣接するように形成すると共に前記略Ｈ字形状切線２４１、２５１（図２参照）の連結切線２４１ｂ、２５１ｂを前記筒状紙体２の前記上端縁側に凸状となる円弧状に形成したものは、前記拡開折込部Ａ、Ａ’およびＢ、Ｂ’を左右の手指で内側に折込む際の操作として、図１に示すドリッパー１の前記筒状紙体２の両側縁に位置する前記係合突片２１を左右の人差し指等で支持する場合には左右の親指で前記拡開折込部Ａ、Ａ’およびＢ、Ｂ’を折込むために何等問題なく前記拡開折込部Ａ、Ａ’およびＢ、Ｂ’を互いに離れる方向にワンアクション（一動作）で折込むことができるが、図１に示すドリッパー１の前記筒状紙体２の両側縁の上端縁を左右の親指等で支持する場合には左右の人差し指等で前記拡開折込部Ａ、Ａ’およびＢ、Ｂ’を折込むために前記拡開折込部Ａ、Ａ’およびＢ、Ｂ’の前記略Ｈ字形状切線２４１、２５１（図２参照）より下側に位置する前記拡開折込部Ａ’およびＢ’が一動作で折込めない場合があり、前記拡開折込部Ａ、Ａ’およびＢ、Ｂ’を互いに離れる方向に確実に一動作で折込むことができるように前記拡開折込部Ａ、Ａ’およびＢ、Ｂ’の前記略Ｈ字形状切線２４１、２５１（図２参照）より下側に位置する前記拡開折込部Ａ’およびＢ’をより前記筒状紙体２の前記上端縁（図２上の）側に位置するようにするためである。また、図１、２に示すように、前記拡開折込部Ａ、Ａ’およびＢ、Ｂ’が前記略Ｈ字形状切線２４１、２５１（図２参照）を介して隣接している場合には、前記略Ｈ字形状切線２４１、２５１（図２参照）に部分的に繋ぎ部（刃止め部）を形成した形状として、より確実にワンアクション（一動作）で内側に折込むことができるように構成してもよいものである。
【００２６】
ところで、今まで説明したドリッパー１、１’は本発明の一例を例示したものであってこれに限ることはなく、たとえば、ドリッパー１の下縁に設けた係合突片２１の数や形状は、カップ壁面に載置固定可能に構成されていればよいものであり、また、前記突出フラップ２０、２０’は、必ずしも同一形状である必要はなく、突出幅や突出高さを変えたり、あるいは、同一形状であっても多少設ける位置をずらせることにより、使用時に手指で摘み易いように構成してもよいものである。
【００２７】
【発明の効果】
以上縷々説明したように、本発明のドリッパーは、筒状紙体の両折曲部の対向する位置に前記折曲部を内側に折込むことで前記折曲部と平行方向において互いに離れる方向に拡開する拡開折込部をそれぞれ２個所設けた構成とすることにより、縦長形状や大型のドリッパーに対しても筒状紙体をほぼ一定の大きさの横断面を有する筒状体に確実に保形することができると共に袋体の開口部を一定の大きさに維持することができ、注湯を容易に行うことができるという優れた効果を奏するものである。
【図面の簡単な説明】
【図１】本発明にかかるドリッパーの一実施例を示す要部透視正面図である。
【図２】図１に示すドリッパーに用いる筒状紙体の展開図である。
【図３】本発明にかかるドリッパーの他の実施例を示す要部透視正面図である。
【図４】図３に示すドリッパーの使用方法を説明する図である。
【符号の説明】
１，１’                              ドリッパー
２                                    筒状紙体
２’                                  ブランク板
３                                    袋体
２０，２０’                          突出フラップ
２１                                  係合突片
２２                                  切欠
２４，２５，２４２，２４２’          折罫
２４３，２４３’，２５２，２５２’    折罫
２５３，２５３’                      折罫
３０，３０’                          対向貼着部
３１                                  剥離可能接着部
３２                                  強固な接着部
３３                                  折部
２００                                前面板
２１０                                背面主板
２２０                                背面補助板
２４１，２５１                        略Ｈ字形状切線
２４１ａ，２４１ａ’                  短い切線
２５１ａ，２５１ａ’                  短い切線、
２４１ｂ，２５１ｂ                連結切線
２４４，２４５，２５４，２５５    円形状切欠部
Ａ，Ａ’，Ｂ，Ｂ’                拡開折込部
α，β                            折曲部
【図１】
2004181020.tif 000003
【図２】
2004181020.tif 000004
【図３】
2004181020.tif 000005
【図４】
2004181020.tif 000006